(57)【要約】      （修正有）【課題】数が増えても嵩張ることがなく、かつ動きの自由度に優れた新規な着せ替え可能なペープサート用軸棒付き紙人形を提供する。【解決手段】キャラクター１２が描かれた絵柄部１０と、これを支持する持ち手部２０とを備え、絵柄部１０には磁性体を取り付け、持ち手部２０には絵柄部１０の磁性体と吸着する磁石部材を設ける。これによって、絵柄部１０と持ち手部２０とが磁力によって吸着・分離自在となってその位置関係を自由に調整できるため、キャラクター１２の複雑な動きや表現が可能となる。また、１つの持ち手部２０に対して異なる絵柄部１０を自由に付け替えられることから、絵柄部１０が増えても全体が嵩張らなくなり、運搬や収納が容易となる。【選択図】図１
0003212250.tif 000002
【実用新案登録請求の範囲】
【請求項１】
キャラクターが描かれた絵柄部と、当該絵柄部を支持する棒状の持ち手部とを備えたペープサート用軸棒付き紙人形であって、
前記絵柄部には、磁性体が取り付けられていると共に、前記持ち手部には、前記絵柄部の磁性体と吸着する磁石部材が設けられていることを特徴とする着せ替え可能なペープサート用軸棒付き紙人形。
【請求項２】
請求項１に記載の着せ替え可能なペープサート用軸棒付き紙人形において、
前記絵柄部の磁性体に代えて、磁石部材を取り付けたことを特徴とする着せ替え可能なペープサート用軸棒付き紙人形。
【請求項３】
請求項２に記載の着せ替え可能なペープサート用軸棒付き紙人形において、
前記持ち手部の磁石部材に代えて、磁性体を取り付けたことを特徴とする着せ替え可能なペープサート用軸棒付き紙人形。
【請求項４】
請求項１乃至３のいずれかに記載の着せ替え可能なペープサート用軸棒付き紙人形において、
前記持ち手部と磁力によって吸着する延長用持ち手部をさらに備えたことを特徴とする着せ替え可能なペープサート用軸棒付き紙人形。
【考案の詳細な説明】
【技術分野】
【０００１】
本考案は、ペープサート（紙人形劇）で用いる着せ替え可能なペープサート用軸棒付き紙人形に関するものである。
【背景技術】
【０００２】
幼稚園や保育園などの幼児教育現場においては、従来から保育士、幼稚園教諭あるいはそれらを目指す学生などによるペープサート（paper puppet theater）と呼ばれる紙人形劇（紙人形芝居）が行われている。このペープサートは、いわゆる静止画だけからなる絵本や紙芝居とは異なり、背景から独立した紙製の操り人形をその物語の進行に合わせて登場・退場させたり、適宜上下左右に繰ることでその登場人物の感情や動きなどをリアルに表現したものである。
【０００３】
このようなペープサートを実演するためには、少なくともその登場人物の数に応じた紙人形と、その紙人形を動かす舞台が必要となる。この紙人形の具体的な構成としては、厚紙の表裏に物語の登場人物や動物などを描き、これを竹串や割り箸状の棒の先端に取り付けたものが一般的であり、また、舞台としては紙人形の持ち手部分が隠れる程度の高さに段ボールなどの板材を垂直に立てたものが一般的である。なお、以下の特許文献１には、横断面が正方形の２個の本体ボディの側面に三本の帯テープを巻き付け、中央の帯テープに話の進行に見合った絵付けをした回転ペープサートが開示されている。
【先行技術文献】
【特許文献】
【０００４】
【特許文献１】実開平０２−１３５０９９号公報
【考案の概要】
【考案が解決しようとする課題】
【０００５】
ところで、従来のペープサート用の紙人形は、上述したように厚紙などに登場人物などのキャラクターを描いた絵柄部と、これを支持する棒状の持ち手部とからなっているが、この絵柄部と持ち手部はそれぞれ対になっているため、その数が増えると全体が嵩張り、収納や持ち運びが容易でない。また、この持ち手部は、その長さが一定でかつ絵柄部に対する取り付け位置が固定されているため、その動きに制限があり、複雑な動きには対応できない。
【０００６】
そこで、本考案はこれらの課題を解決するために案出されたものであり、その主な目的は、数が増えても嵩張ることがなく、かつ動きの自由度に優れた新規な着せ替え可能なペープサート用軸棒付き紙人形を提供するものである。
【課題を解決するための手段】
【０００７】
前記課題を解決するために第１の考案は、キャラクターが描かれた絵柄部と、当該絵柄部を支持する棒状の持ち手部とを備えたペープサート用紙人形であって、前記絵柄部には、磁性体が取り付けられていると共に、前記持ち手部には、前記絵柄部の磁性体と吸着する磁石部材が設けられていることを特徴とする着せ替え可能なペープサート用軸棒付き紙人形である。
【０００８】
このような構成によれば、キャラクターが描かれた絵柄部と、これを支持する持ち手部とが磁力によって吸着・分離自在となっていることから、絵柄部と持ち手部との位置関係などを自由に調整できる。また、１つの持ち手部に対して異なる絵柄部を自由に付け替えできることから、絵柄部が増えても持ち手部の数を増やす必要がなくなる。この結果、キャラクターの複雑な動きや表現が可能となると共に、絵柄部が増えても全体が嵩張らないため、運搬や収納が容易となる。
【０００９】
第２の考案は、第１の考案において、前記絵柄部の磁性体に代えて、磁石部材を取り付けたことを特徴とする着せ替え可能なペープサート用軸棒付き紙人形である。このような構成としても第１の考案と同様に絵柄部と持ち手部とを磁力によって吸着・分離自在となるため、同様の作用効果が得られる。
【００１０】
第３の考案は、第２の考案において、前記持ち手部の磁石部材に代えて、磁性体を取り付けたことを特徴とする着せ替え可能なペープサート用軸棒付き紙人形である。このような構成としても第１の考案と同様に絵柄部と持ち手部とを磁力によって吸着・分離自在となるため、同様の作用効果が得られる。
【００１１】
第４の考案は、第１乃至第３のいずれかの考案において、前記持ち手部と磁力によって吸着する延長用持ち手部をさらに備えたことを特徴とする着せ替え可能なペープサート用軸棒付き紙人形である。このような構成によれば、持ち手部の長さを自在に延長できるため、より表現の自由度が向上する。
【考案の効果】
【００１２】
本考案によれば、キャラクターが描かれた絵柄部と、これを支持する持ち手部とが磁力によって吸着・分離自在となっていることから、絵柄部と持ち手部との位置関係などを自由に調整できる。また、１つの持ち手部に対して異なる絵柄部を自由に付け替えできることから、絵柄部が増えても持ち手部の数を増やす必要がなくなる。この結果、キャラクターの複雑な動きや表現が可能となると共に、絵柄部が増えても全体が嵩張らないため、運搬や収納が容易となる。
【図面の簡単な説明】
【００１３】
【図１】本考案に係る着せ替え可能なペープサート用軸棒付き紙人形１００の実施の一形態を示す表面および裏面図である。
【図２】本考案に係る着せ替え可能なペープサート用軸棒付き紙人形１００の実施の一形態を示す斜視図である。
【図３】持ち手部２０の構造を示す部分拡大斜視図である。
【図４】図１図中Ａ−Ａ線拡大断面図である。
【図５】絵柄部１０に対する持ち手部２０の取り付け位置関係を示す説明図である。
【図６】持ち手部２０に対する絵柄部１０の状態を示す説明図である。
【図７】持ち手部２０と他の絵柄部１０を示す説明図である。
【図８】本考案に係る着せ替え可能なペープサート用軸棒付き紙人形１００の他の実施の形態を示す斜視図である。
【図９】本考案に係る着せ替え可能なペープサート用軸棒付き紙人形１００の他の実施の形態を示す正面図である。
【図１０】本考案に係る着せ替え可能なペープサート用軸棒付き紙人形１００の他の実施の形態を示す正面図である。
【考案を実施するための形態】
【００１４】
以下、本考案の実施の形態を添付図面を参照しながら説明する。図１および図２は本考案に係る着せ替え可能なペープサート用軸棒付き紙人形１００の実施の一形態を示したものである。図示するようにこの紙人形１００は、キャラクターが描かれた絵柄部１０と、この絵柄部１０を支持する棒状の持ち手部２０とから構成されている。
【００１５】
絵柄部１０は、厚紙１１の表面側に登場する動物や人物などのキャラクター１２が描かれていると共に、その裏面側には磁性体１３が複数設けられている。この磁性体１３は、具体的には円板状をしたスチール製の金属片からなっており、例えば図２に示すように厚紙１１の縦方向に直線状に３つ配置されると共にその両側に２つずつ、合計７つ設けられている。そして、これら磁性体１３は、粘着シール１４によって厚紙１１の裏面に所定の間隔を隔てて固定されている。
【００１６】
一方、持ち手部２０は、両面が平坦な軸棒（平棒体）２１の両端に、その長手方向に沿って複数の磁石部材Ｍを取り付けた構造となっている。この磁石部材Ｍは、例えば直径が５ｍｍ程度のボタン状をしたネオジム磁石などのような高磁力の永久磁石から構成されており、絵柄部１０のいずれかの磁性体１３に吸着するようになっている。
【００１７】
この持ち手部２０の構造をより具体的に説明すると、図３および図４に示すように、軸棒２１は、長さが約２５ｃｍ〜３０ｃｍ程度の木材、例えばヒノキ材などからなっており、その両端から所定の間隔を隔てて円形の取付孔２０ａが複数（本実施の形態にあってはそれぞれ３つずつで合計６つ）、これを貫通するように形成されている。そして、各取付孔２０ａ内にそれぞれ磁石部材Ｍが埋設するように収容されると共に、その取付孔２０ａの両側はこの磁石部材Ｍが脱落しないように粘着テープ１５などによって塞がれた構造となっている。
【００１８】
このような構成をした本考案に係る着せ替え可能なペープサート用軸棒付き紙人形１００にあっては、キャラクター１２が描かれた絵柄部１０と、これを支持する持ち手部２０とが磁力によって吸着・分離自在となっていることから、絵柄部１０と持ち手部２０との位置関係などを自在に調整できる。例えば、図５（ａ）に示すように絵柄部１０の裏面の中央にある３つの磁性体１３ａ、１３ｂ，１３ｃに対してそれぞれ持ち手部２０の各磁石部材Ｍを吸着させてその持ち手部２０を垂直状態に立てると、図１に示すようにキャラクター１２が垂直状態になるように絵柄部１０を取り付けることができる。
【００１９】
また、図５（ｂ）や（ｃ）に示すように、絵柄部１０の裏面にある３つの磁性体１３ｄ、１３ｂ，１３ｇに対して持ち手部２０を吸着させてその持ち手部２０を垂直状態にすると、図６（Ａ）に示すようにキャラクター１２が斜めに傾くように絵柄部１０を取り付けることができる。さらに、図５（ｄ）に示すように、絵柄部１０の裏面にある２つの磁性体１３ｇ、１３ｅあるいは磁性体１３ｆ、１３ｄに対して持ち手部２０を吸着させてその持ち手部２０を垂直状態にすると、図６（Ｂ）に示すようにキャラクター１２が横向きになるように絵柄部１０を取り付けることができる。この結果、操作者の手や腕を表に出すことなくキャラクター１２の複雑な動きや表現が可能となる。
【００２０】
また、絵柄部１０と持ち手部２０とが吸着・分離自在となっていることから、図７に示すように他のキャラクター、例えばウサギ、ネズミ、イヌなどのキャラクター１２が描かれた絵柄部１０だけを複数用意しておけば、その持ち手部２０はすべての絵柄部１０に兼用できるため、その数を大幅に減らすことができる。この結果、絵柄部１０の数が増えても全体が嵩張ることがなく、その運搬が収納など容易となる。
【００２１】
なお、本実施の形態では、絵柄部１０に磁性体１３を取りつけると共に、持ち手部２０に磁石部材Ｍを取り付けた例で説明したが、その反対、すなわち絵柄部１０に磁石部材Ｍを取り付け、持ち手部２０の一部またはその全部をスチールなどの磁性体で構成しても良く、さらに、絵柄部１０の磁性体１３を磁石部材Ｍで構成しても良い。また、絵柄部１０の複数の磁性体１３に代えて、ある程度の大きさを有するスチール製の薄板をその裏面側に貼り付けたり、厚紙１１自体をスチール製の薄板に代えても良い。
【００２２】
また、図８に示すように、この持ち手部２０と同様な構造をした延長用持ち手部３０を１つ以上用意し、これを順に持ち手部２０の手元側の磁石部材Ｍと吸着させれば、その持ち手部２０の長さを簡単に延長することが可能となる。これによって、キャラクター１２の高さ方向の位置も自在に調整できるため、より詳細な動きや感情を表現することができる。
【００２３】
また、一般にペープサート用の紙人形は、その軸棒状の持ち手部２０を手に持って動かすだけでなく、その持ち手部２０部分を舞台裏に設けた段ボールなどに差し込んで一時的に固定することもある。しかしながら、本考案の着せ替え可能なペープサート用軸棒付き紙人形１００は、その持ち手部２０に磁石部材Ｍを備えたため、段ボールなどの支えに代わって図９に示すようなスチール製のブックエンドや缶などの固定用スチール台４０を用いたり、舞台裏にスチール板（０．３ｍｍ程度）を貼り付け、これらに持ち手部２０を吸着させることで持ち手部２０を容易かつしっかりと固定でき、しかも、繰り返しの使用も可能となる。
【００２４】
また、持ち手部２０部分の全体に亘って磁石部材Ｍを取り付け、任意の部位に絵柄部１０を吸着できるようにすれば、例えば図１０に示すように１つの持ち手部２０部分に２つ以上の絵柄部１０をまとめて吸着することができるため、より複雑で高度な表現も可能となる。図１０は、ウシのキャラクター描かれた上部の絵柄部１０の下に、車が描かれた第２の絵柄部１０ａを吸着させることでウシのキャラクターが車に乗って移動するような状態をわかりやすく表現したものである。
【符号の説明】
【００２５】
１００…着せ替え可能なペープサート用軸棒付き紙人形
１０…絵柄部
１０ａ…第２の絵柄部
１１…厚紙
１２…キャラクター
１３（１３ａ〜１３ｆ）…磁性体
１４…粘着シール
１５…粘着テープ
２０…持ち手部
２０ａ…取付孔
２１…軸棒
３０…延長用持ち手部
４０…固定用スチール台
Ｍ…磁石部材
【図１】
0003212250.tif 000003
【図２】
0003212250.tif 000004
【図３】
0003212250.tif 000005
【図４】
0003212250.tif 000006
【図５】
0003212250.tif 000007
【図６】
0003212250.tif 000008
【図７】
0003212250.tif 000009
【図８】
0003212250.tif 000010
【図９】
0003212250.tif 000011
【図１０】
0003212250.tif 000012